(57)【特許請求の範囲】
【請求項１】
遮水シートを設けて構成した廃棄物処分場において、上記遮水シートの表面に砂と連続繊維とが吹付けられて形成された保護層を備え、保護層は、圧縮空気で砂を遮水シートの表面に吹付けるときに、砂と連続繊維とが混ぜ合わさるように、砂を吹付ける遮水シートの表面と同一箇所に高圧水で連続繊維を吹付けることによって形成されたことを特徴とする廃棄物処分場。
【請求項２】
上記保護層の上に、繊維入り砂を吹付けて成る緑化層が形成されたことを特徴とする請求項１に記載の廃棄物処分場。
【発明の詳細な説明】
【０００１】
【発明の属する技術分野】
本発明は、保護層を有する廃棄物処分場に関する。
【０００２】
【従来の技術】
図７ないし図１０は、産業廃棄物を堆積して処分するための廃棄物処分場の一例を示す断面図であり、各図において、１ａは地盤１を凹状に掘削した掘削部、２は掘削部１ａの表面を覆う遮水層、３は遮水層２の上に敷設された遮水シート、４は遮水シート３の法面５の上側に敷設されて、遮水シート３を保護する保護マット、６は遮水シート３の底部７側に堆積されて、シート３を保護する保護砂である。
【０００３】
上記遮水層２は、通常主材となる砂及び砂利等の骨材と、ベントナイトやカオリン等を含む低透水性材料と、これらを固めるセメント等の固化材料とをミキサで攪拌混合して遮水構造材とし、この遮水構造材を打設して、遮水層２として築造している。掘削部１ａ、法面５は実際には平坦でなく、図９、図１０に示す如く岩等の地山の変状による凹凸があり、この凹凸の上に、表面が平坦になるように遮水層２を築造している。
【０００４】
この遮水層２の上を平滑化して、遮水シート３を密着させて敷設し、このシート３の上に厚さが１０ｍｍ程度の不織布から成る保護マット４を敷設し、保護砂６を入れて、廃棄物処分場として完成する。保護マット４は、遮光性能を持たせ、熱および紫外線が遮水シート３に届かないようにして遮水シート３の劣化を防ぐものである。
【０００５】
図９に示すように廃棄物処分場が完成した後に、廃棄物をこの処分場に廃棄するには、保護マット４と保護砂６との隅部８に保護土砂を盛り、法面５の斜面に沿って崩れずに自立できる高さまでの覆土９を設けながら、廃棄処分を行っている。すなわち、この覆土９で保護砂６の周辺を囲み、堆積物１０自体に含まれる角材１２とかパイプ、アングル、釘等の鋭利なものとかあるいは、この堆積物１０を平坦に均す重機が遮水シート３を傷つけないように覆土９で保護した状態で、保護砂６の上に廃棄物等の堆積物１０を堆積する。
【０００６】
保護砂６上に投入された堆積物１０は、重機で均されるが、保護マット４に重機が接触してしまうと、遮水シート３を破損させてしまう。そのために覆土９を設けて遮水シート３を保護し、重機で作業を行い、堆積物１０を堆積している。
【０００７】
堆積を続けると、堆積物１０が覆土９を超えそうになるので、図１０に示すように覆土９の上に保護マット４に接するように保護土砂を盛り、覆土１１を設けて遮水シート３を保護した上で、堆積物１０を堆積する。堆積を続けると、堆積物１０が覆土１１を超えそうになるので、覆土１１の上に保護マット４に接するように保護土砂を盛り、更に覆土を設けて、堆積物１０を堆積していた。このように常に堆積物１０を囲むように、この堆積物１０より高くなるように保護土砂を盛り続けて、堆積物１０を堆積するという面倒な作業を実施していた。
【０００８】
【発明が解決しようとする課題】
従来の廃棄物処分場によれば、まず第１に堆積物１０の廃棄の過程で逐次覆土９，１１を堆積しなければならないという面倒な手間を要していた。第２に覆土９，１１は強度が弱く、法面５に沿って崩れてしまい易いので、自立できる量で保護土砂を盛り続けて、常に堆積物１０よりも高くなるように厚みのある覆土９，１１を設けるという面倒な作業を行うために、覆土９，１１の築造に時間を奪われてしまって堆積物１０の処分を比較的短時間で行えないという欠点があった。第３に直射日光が遮水シート３に照射されることにより、直射日光に含まれる紫外線等で遮水シート３が変成されて、遮水性能を落とさないようにするために遮光性能のある保護マット４で遮水シート３を被っているが、この遮水シート３の覆土９，１１で被われていない上部１３が鳥等の小動物、気候の変化による伸縮等でめくれてしまうおそれがあり、遮水シート３の保守管理が面倒であるという欠点を有していた。
【０００９】
本発明は上記問題点を解消するためになされたもので、覆土９，１１の築造を不要として処分場への堆積物１０の堆積を容易にかつ比較的短時間で行えるようにするとともに鳥等の小動物、気候の変化による伸縮等に対処するための特別な管理を不要とするものである。
【００１０】
【課題を解決するための手段】
本発明の請求項１に記載の廃棄物処分場は、遮水シートを設けて構成した廃棄物処分場において、上記遮水シートの表面に砂と連続繊維とが吹付けられて形成された保護層を備え、保護層は、圧縮空気で砂を遮水シートの表面に吹付けるときに、砂と連続繊維とが混ぜ合わさるように、砂を吹付ける遮水シートの表面と同一箇所に高圧水で連続繊維を吹付けることによって形成されたことを特徴とする。
【００１１】
本発明の請求項２に記載の廃棄物処分場は、上記保護層の上に、繊維入り砂を吹付けて成る緑化層を形成したものである。
【００１２】
【発明の実施の形態】
以下、本発明の実施の形態について図面に基づき説明する。
【００１３】
実施の形態１．
図１ないし図２は、本発明の実施の形態１に係わる廃棄物処分場の一例を示す断面図であり、図７ないし図１０と同じものは同一符号を用いている。
この場合、２１は遮水シート３の表面に連続繊維２２と砂２３を吹付けて形成した保護層、２４は保護層２１の上に連続繊維２５と砂２６と肥料等の土壌改良材を吹付けて形成した緑化層、２７は緑化層２４に植生された植物である。遮水シート３の表面に保護層２１と緑化層２４から形成された遮光性を有する保護層Ａを設けたものである。
遮光性が高い砂２３，２６を用いた保護層２１、緑化層２４で、遮水シート３に直射日光が入射しないように光を遮ることで、遮水シート３の変成を防ぎ、遮水シート３の遮水性能を落とさないようにするとともに、砂２３，２６に１％程度のポリエステルから形成された繊維２２，２５を混合して保護層２１、緑化層２４の強度を補うことで、重機が遮水シート３の上で作業を行うときや、廃棄物等の堆積物１０が遮水シート３を傷付けないように保護するものである。
繊維２２，２５を混合することで、砂２３，２６の粒子との間で相互の摩擦により結合され、ループ状や交差した繊維２２，２５が砂２３，２６の相対的移動を妨げて強度を補強している。
【００１４】
この保護層Ａの築造方法は、従来と同様にして、凹状に遮水シート３を敷設し、保護砂６を入れた後に、この遮水シート３の表面に保護層２１、緑化層２４を築造する。
【００１５】
この保護層２１と緑化層２４とを吹付ける装置を説明すると、図３に示すように、３１は砂２３，２６を混合する吹付機、３２は吹付機３１に圧縮空気を供給するコンプレッサー、３３は吹付機３１に接続され砂２３，２６が混合された圧縮空気が通るホース、３４はホース３３に接続され、砂２３，２６の吹付け方向を決めるイジェクター、３５はイジェクター３４から砂２３，２６を吹付けるノズル、３６ａは繊維２２，２５を吹付ける水３６を貯めるタンク、３７は水３６を高圧にする高圧ポンプ、３８は高圧水３６が通るホース、３９はホース３８からの高圧水３６と繊維２２，２５とを混合するイジェクター、４０はイジェクター３９への繊維２２，２５の供給量を管理する管理装置、４０ａは管理装置４０へ供給する繊維２２，２５が巻き付けられたスレッドフィーダー、４１は高圧水３６にのせて繊維２２，２５を吹付けるノズル、４２は吹付機３１と高圧ポンプ３７とに電源を供給する発電機である。
【００１６】
遮水シート３の表面に保護層２１を吹付ける装置を用いて築造する方法を説明する。図４に示すように、砂２３をノズル３５から圧縮空気を加えて法面５上側の遮水シート３表面に吹付けるときに、砂２３と混ぜ合わさるように、繊維２２をノズル４１から圧縮された高圧水３６で遮水シート３の同一個所に吹付ける。圧縮空気で繊維２２を吹付けると繊維２２が上の方向に飛んでしまうので、水３６を含ませて混合したものを吹付けるようにする。
【００１７】
この保護層２１の上に緑化層２４を吹付けるときも同様にして、砂２６に加えて栄養分を含むように土壌改良材を吹付機３１で混合して、土壌が改良された砂２６をノズル３５から圧縮空気を加えて保護層２１の表面に吹付けるときに、繊維２５をノズル４１から高圧水３６とともに吹付けて、緑化層２４を吹付けた後に砂２６の表面をへら等でならすようにして平滑化する。繊維２２，２５は、水３６とともに吹付けるので、切れ目がなく、連続したものが望ましい。この緑化層２４で植物２７が育成できるようにして、緑化層２４を築造し、処分場として完成する。
【００１８】
保護層２１、緑化層２４は、砂２３，２６と繊維２２，２５が緊密に結合しているために強度が従来の覆土９，１１よりも強く、法面５の斜面に沿って崩れることがなく自立して、容易に法面５の全てを覆うことができ、遮水シート３が露出せずに、１回の施工で希望する厚さで法面５に築造できる。
【００１９】
強度があるので、覆土９，１１よりも薄い層厚で保護層２１、緑化層２４を施工することができ、薄い層厚なので堆積物１０を堆積する容量が大きくできる。
【００２０】
処分場が完成した後に、図５に示すように、保護砂６と緑化層２４との上に堆積物１０を重機で運搬して堆積する。処分場が完成時には、その前に保護層２１、緑化層２４が完成しているので、重機が緑化層２４の上で作業を行っても、保護層２１で遮水シート３を保護しているので遮水シート３の破損がないために覆土９，１１を設ける必要がない。
【００２１】
堆積物１０の中に角材１２が混合していても、保護層２１、緑化層２４は強度があるので、緑化層２４に角材１２が落下しても、緑化層２４の表面に突き刺さり、一部の植物２７が傷つけられるが、遮水シート３は保護層２１で覆われているので、角材１２の先端が遮水シート３に突き刺さることがなく、破損することがない。
【００２２】
保護層２１、緑化層２４の降伏ひずみは、６〜１０％程度であり、砂２３，２６のみの降伏ひずみが２〜６％であることに比べて、不同沈下等によって局所的なひずみが生じた場合でも、このひずみに追従して変形することができ、遮水シート３が露出することを防ぐ。
【００２３】
保護層２１、緑化層２４の透水係数は、１％程度の繊維２２，２５が混合されているので、砂２３，２６のみの透水係数とほぼ同じであり、同等の遮水性能を持つ。
【００２４】
緑化層２４は、砂２６と繊維２５が緊密に結合しているため、雨がふって表面に水が流れても、ごく一部の砂２６が流出してしまうが、繊維２５が内部を保護するので、法面５の斜面に沿って崩れることがなく、長期に渡り露出しても緑化層２４は変成しない。更に、緑化層２４は植物２７の根が繊維２５と複雑に絡み合い、相互で強度を高めている。保護層２１の上に緑化層２４を設けるので、現地と同じ種類の植物２７を用いてもよく、周囲との景観に適合して景観を崩すことがない。
【００２５】
図６に示すように、保護マット４よりも遮光性が高い砂２３，２６で法面５の全てを覆うことができるので、直射日光が緑化層２４に入射しても植物２７が光を遮り、緑化層２４の砂２６で光を遮る。そのために直射日光は緑化層２４で吸収されてしまい、遮水シート３まで直射日光が届くことがなく、遮水シート３は変成せずに、遮水性能を落とすことがなく、長期に渡って遮水性能を発揮することができる。
【００２６】
砂２３，２６は購入した砂を用いても良く、地盤１を凹状に掘削したときに発生する現地発生土を用いてもよい。この現地発生土を乾かして、砂状にする。この砂状の現地発生土を用いて保護層２１、緑化層２４を築造してもよい。
【００２７】
なお、保護層２１を吹付けるときに、砂２３にセメントを混合すれば、このセメントが強度を発現すると、緑化層２４の植物２７の根が保護層２１に進入することがなく、遮水シート３に植物２７に根が進入せずに破損することがない。
【００２８】
また、強度を補う繊維２２，２５は、ポリエステルの他に、ナイロン、ポリプロピレン、ポリ塩化ビニル繊維、ガラス繊維、シリコンカーバイド繊維、炭素繊維、セラミックスファイバー、スチール繊維、ポリエステル、綿糸、麻、レーヨン、アセテート繊維、絹糸、毛等のいずれかの１つ又は複数又は全てを用いてもよい。
【００２９】
このように、遮水シート３に直射日光が入射しないように遮水シート３の表面に繊維２２，２５を混合した遮光性の高い砂２３，２６を吹付けて、保護層２１と緑化層２４から形成された遮光性を有する保護層Ａを設けたので、直射日光が入射しても保護層２１と緑化層２４とが直射日光を遮り、この日光が遮水シート３までに届くことがないので、この日光の紫外線で遮水シート３が変成することがなく、遮水シート３の遮水性能を落とさないようにすることができる。
また、遮水シート３の上に保護層Ａを設け、保護層Ａには、強度を補強する繊維２２，２５が砂２３，２６に混合されているので、保護層Ａの上で重機が作業を行っても遮水シート３を傷つけることがなく、堆積物１０に角材１２が入っていても、この角材１２が遮水シート３を破損させることがなく、保護することができる。
【００３０】
【発明の効果】
以上説明したように、請求項１に記載の発明によれば、遮水シートの表面に砂と連続繊維とが吹付けられて形成された保護層を備え、保護層は、圧縮空気で砂を遮水シートの表面に吹付けるときに、砂と連続繊維とが混ぜ合わさるように、砂を吹付ける遮水シートの表面と同一箇所に高圧水で連続繊維を吹付けることによって形成されたので、一定の高さまで廃棄物を堆積する都度、覆土を堆積する必要がないので、廃棄物の処分を容易かつ比較的短時間で行え、また、鳥等の小動物、気候の変化による伸縮等に対する特別な配慮が必要とならず、保守管理が容易となる。
【００３１】
また、請求項２に記載の発明によれば、上記保護層の上に、繊維入り砂を吹付けて成る緑化層を形成したので、一定の高さまで廃棄物を堆積する都度、覆土を堆積する必要がないので、廃棄物の処分を容易かつ比較的短時間で行え、また、鳥等の小動物、気候の変化による伸縮等に対する特別な配慮が必要とならず、保守管理が容易となるとともに、植生が可能となり周囲の景観を崩すことがない。
【図面の簡単な説明】
【図１】  本発明の実施の形態１に係わる廃棄物処分場の構成を示す断面図である。
【図２】  実施の形態１に係わる廃棄物処分場の構成を示す断面図である。
【図３】  実施の形態１に係わる廃棄物処分場を吹付ける装置を示すブロック図である。
【図４】  実施の形態１に係わる廃棄物処分場の吹付けを示す断面図である。
【図５】  実施の形態１に係わる廃棄物処分場に廃棄物を堆積した断面図である。
【図６】  実施の形態１に係わる廃棄物処分場に直射日光が照射したときの断面図である。
【図７】  従来の廃棄物処分場の構成を示す断面図である。
【図８】  従来の廃棄物処分場の構成を示す断面図である。
【図９】  従来の廃棄物処分場に廃棄物を堆積した断面図である。
【図１０】  従来の廃棄物処分場に廃棄物を堆積した断面図である。
【符号の説明】
１  地盤、１ａ  掘削部、２  遮水層、３  遮水シート、５  法面、６  保護砂、２１  保護層、２２  繊維、２３  砂、２４  緑化層、２５  繊維、２６  砂、２７  植物、Ａ  保護層。
【図１】
0004074401.tif 000002
【図２】
0004074401.tif 000003
【図３】
0004074401.tif 000004
【図４】
0004074401.tif 000005
【図５】
0004074401.tif 000006
【図６】
0004074401.tif 000007
【図７】
0004074401.tif 000008
【図８】
0004074401.tif 000009
【図９】
0004074401.tif 000010
【図１０】
0004074401.tif 000011